(57)【特許請求の範囲】
【請求項１】
防御対象物の周囲に装着された複数のエッジ部材の先端で保持するように張り巡らされた細線と、該細線の一端に接続された横波発生装置と、前記細線の他端に接続された横波受信装置と、該横波受信装置に接続された警報装置とからなり、前記横波発生装置から前記細線に伝搬された横波を前記横波受信装置で検出し、前記細線の切断による横波の遮断又は前記細線への接触による異常横波を検出することにより前記防御対象物への侵入を検出することを特徴とする細線を用いたセキュリティ装置。
【請求項２】
前記横波発生装置は、ケースの内部に一端が固着され、他端の接続部が前記ケースから突出して前記細線と接続される弾性体と、前記ケースに装着されたコイルと、前記弾性体の中間部分に装着され、かつ前記コイルに挿入される磁石とからなる横波発生器と、前記コイルに発振出力を印加する発振器とからなり、該発振器からの発振出力の印加により前記コイルに発生した電磁力で前記磁石を振動して横波を発生し、前記弾性体より細線に横波を伝搬し、前記横波受信装置は、前記ケースの内部に一端が固着され、他端が前記ケースから突出して前記細線と接続される弾性体と、前記ケースに装着されたコイルと、前記弾性体の中間部分に装着された磁石とからなる横波受信器と、前記コイルに発生した交流電流を増幅する増幅器と、該増幅器からの信号を検出する検出器とからなり、前記細線からの横波を前記弾性体で受信して前記磁石を振動して前記コイルに交流電流を発生し、該交流電流を前記増幅器で増幅し、前記検出器で前記増幅器からの信号を検出し、前記増幅器からの信号の遮断又は異常信号により警報信号を発生することを特徴とする請求項１記載の細線を用いたセキュリティ装置。
【請求項３】
前記横波発生装置を固定し、前記横波受信装置で細線に発生する異常を検出し、前記警報装置で警報することを特徴とする細線を用いたセキュリティ装置。
【請求項４】
前記横波発生装置を固定し、前記横波受信装置は、前記細線の他端に接続された弾力性部材と、該弾力性部材に接触させるように装着したマイクロホンと、該マイクロホンの出力を増幅する増幅器とからなり、前記細線に発生した横波を弾力性部材で縦波に変換し、該縦波を前記マイクロホンで検出することを特徴とする請求項１記載の細線を用いたセキュリティ装置。
【発明の詳細な説明】
【０００１】
【産業上の利用分野】
本発明は、テグス糸又は金属細線等の細線を防御対象物の周囲に張り巡らせ、細線に発生した横波を検出するようにした細線を用いたセキュリティ装置に関するものである。
【０００２】
【従来の技術】
従来、この種のセキュリティ装置としては、監視カメラを設置して防御対象物の周囲を監視したり、又、防御対象物の周囲に赤外線の発光装置と受光装置を設置して、侵入者による発光装置からの赤外線の遮断を検出して警報するようにした装置が提案されている。
【０００３】
【発明が解決しようとする課題】
しかしながら、このような監視カメラを設置するセキュリティ装置では、監視人が常時監視カメラから送られてくる映像を監視しなければならず、その装置及び人件費が莫大なものとなり、又、監視カメラが目に付くので、監視カメラを破壊して侵入するという欠点があり、又、赤外線の発光装置及び受光装置を使用したセキュリティ装置では、赤外線の発光装置及び受光装置が同様に高価であり、さらに、赤外線の発光装置及び受光装置は人目に付くので、それを迂回して侵入することができるなどの欠点があった。
【０００４】
【課題を解決するための手段】
本発明は、防御対象物の周囲に装着された複数のエッジ部材の先端で保持するように張り巡らされた細線と、該細線の一端に接続された横波発生装置と、前記細線の他端に接続された横波受信装置と、該横波受信装置に接続された警報装置とからなり、前記横波発生装置から前記細線に伝搬された横波を前記横波受信装置で検出し、前記細線の切断による横波の遮断又は前記細線への接触による異常横波を検出することにより前記防御対象物への侵入を検出するものである。
【０００５】
【実施の態様】
本発明によれば、防御対象物の周囲にテグス糸又は金属細線等の細線を張り巡らせ、この細線に横波発生装置から横波を発生し、横波受信装置で細線からの横波を検出することにより、細線が切断されたとき、検出されていた横波が遮断されるので、この遮断により侵入者の存在を確認し、又、細線が切断されなくても、細線に侵入者が接触することによって異常な横波が発生するので、この異常な横波を検出することにより侵入者の存在を確認することができる。
【０００６】
【実施例】
図１は本発明の１実施例のセキュリティ装置の原理を説明する説明図で、防御対象物１の周囲に先端が尖ったエッジ２ａ、２ｂ、２ｃ、２ｄが装着され、その先端で保持するようにテグス糸又は金属細線からなる細線３が張り巡らされ、この細線３の一端に横波発生装置４の接続部４ａが接続され、又、細線３の他端に横波受信装置５の接続部５ａが接続され、さらに、横波受信装置５に警報装置６が接続されている。
【０００７】
図２は本発明の１実施例の横波発生装置の断面図で、ケース７の端部の内部に弾性体８の一端がビス９で固着され、他端は細線３に接続される接続部４ａが固着され、又、弾性体８の中間部分に磁石１０が固着され、この磁石１０はケース７に装着されたコイル１１内に挿入されて横波発生器１２が構成され、又、ケース７に電源装置１３が装着され、この電源装置１３にコード１４を介して商用電源に接続されるコンセント１５が接続され、さらに、ケース７内に電源装置１３から電力が供給される発振器１６が装着され、この発振器１６からの交流電圧はコイル１１に印加されている。
【０００８】
図３は本発明の１実施例の横波受信装置の構成図で、ケース１７の端部の内部に弾性体１８の一端がビス１９で固着され、他端は細線３に接続される接続部５ａが固着され、又、弾性体１８の中間部分に磁石２０が固着され、この磁石２０はケース１７に装着されたコイル２１内に挿入されて横波受信器２２が構成され、又、ケース１７内にコイル２１の出力を増幅する増幅器２３が装着され、又、ケース１７の内部に増幅器２３の出力を検出する検出器２４が装着され、検出器２４の出力は警報装置６に入力され、又、増幅器２３及び検出器２４に電力を印加する電源装置２５がケース１７内に装着され、又、電源装置２５に接続されるコード２６にコンセント２７が接続されている。
【０００９】
このように構成された本実施例のセキュリティ装置では、横波発生装置４の発振器１６から常時発振出力が横波発生器１２のコイル１１に印加されて弾性体１８が振動することにより、弾性体１８の接続部５ａに接続された細線３に常時横波が伝搬される。
【００１０】
そして、この横波は細線３の他端に接続された横波受信器２２の弾性体１８に伝搬されて弾性体１８を振動することにより、弾性体１８に固着された磁石２０の振動によってコイル２１に交流電圧が発生し、この交流電圧は増幅器２３で増幅され、検出器２４に入力されるが、もし、侵入者が細線３を切断した場合には、弾性体１８が振動しなくなり、コイル２１に交流電圧が発生しなくなるので、この交流電圧の遮断により侵入者が細線３を切断したことを検出して警報装置６に異常信号を送り警報する。
【００１１】
又、たとえ細線３が遮断されなくても、侵入者が細線に接触することにより、通常の横波によるコイル２１に発生する交流電圧と異なった異常振動による交流電圧が発生し、この異常な交流電圧を検出器２４で検出することにより、警報装置６に異常信号を発生して警報する。
【００１２】
本実施例は、このように構成したので、防御対象物１の周囲に張り巡らしたテグス糸等の細線３は人目に付くことがなく、侵入者が用心しても確実に接触、切断する可能性が大きく、又、装置も簡単であるという利点がある。
【００１３】
図４は本発明の他の実施例のセキュリティ装置の原理を説明する説明図で、防御対象物１の周囲に先端が尖ったエッジ２ａ、２ｂ、２ｃ、２ｄが装着され、その先端で保持するようにテグス糸又は金属細線からなる細線３が張り巡らされ、この細線３の他端は固定され、又、細線３の一端に横波受信装置として弾力性部材２８の一端に接続され、この弾力性部材２８の他端は固定され、さらに、弾力性部材２８の中間部分に横波受信器２９が固着され、この横波受信器２９に警報装置６が接続されている。
【００１４】
図５は横波受信器の構成図で、ケース３０は弾力性部材２８に固着され、又、ケース３０の内部には、マイクロホン３１が弾力性部材２８に接触するように装着され、さらに、ケース３０の内部にマイクロホン３１の出力を増幅する増幅器３２及び増幅器３２からの出力を検出する検出器３３が装着され、検出器３３の出力はプラグ端子３４に接続されたコード３５を介して警報装置６に印加され、又、増幅器３２及び検出器３３に電力を印加する電源装置３６がケース３０に装着され、この電源装置３６にコード３７が接続され、このコード３７に商用電源に接続されるプラグ３８が接続されている。
【００１５】
このように構成された本実施例のセキュリティ装置では、侵入者が細線３に接触すると、異常な横波が発生し、この横波は弾力性部材２８に伝達されて縦波に変換され、この縦波はマイクロホン３１で検出され、この検出された信号は増幅器３２で増幅されて検出器３３に入力されることにより、検出器３３はこの検出された異常信号を検出し、それによって、検出機３３はプラグ端子３４及びコード３５を通して警報信号を警報装置６に印加して警報を発生する。
【００１６】
本実施例では、侵入者が細線３に接触すると、弾力性部材２８が曲げ振動を起こして縦波を発生するので、細線３の僅かな接触でも弾力性部材２８に縦波を発生し、マイクロホン３１で検出することができ、又、装置も簡単に構成することができるという利点がある。
【００１７】
なお、図１の実施例では、細線３の端部にそれぞれ横波発生装置４と横波受信装置５を接続した例を示したが、横波発生装置４を省いて細線３の一端を固定し、横波受信装置５で細線３に侵入者が接触した時に発生する横波を検出するようにしてもよいし、又、図４の実施例において、細線３の固定端の代わりに横波発生装置４を接続し、横波発生装置４からの横波を弾力性部材２８で縦波に変換し、この縦波をマイクロホン３１で検出するように構成した場合でも、細線３の切断を検出することができる。
【００１８】
【発明の効果】
以上説明したように、本発明の細線のセキュリティ装置では、防御対象物の周囲に細線を張り巡らせ、細線に横波発生装置より横波を伝搬し、侵入者が細線を切断した場合には、横波が遮断されることを横波受信装置で検出することによって侵入者の存在を確認し、又、細線に接触することによって発生する横波を横波受信装置で検出することにより侵入者の存在を確認し、さらに、横波受信装置として弾力性部材及びマイクロホンを使用することにより、より確実に侵入者の存在の確認することができ、構成が簡単で、細線が侵入者に目視され難いという利点がある。
【図面の簡単な説明】
【図１】本発明の実施例のセキュリティ装置の原理を説明する説明図である。
【図２】本発明の実施例の横波発生装置の断面図である。
【図３】本発明の実施例の横波受信装置の断面図である。
【図４】本発明の他の実施例のセキュリティ装置の原理を説明する説明図である。
【図５】本発明の他の実施例の横波受信装置の構成図である。
【符号の説明】
１                          防御対象物
２ａ、２ｂ、２ｃ、２ｄ      エッジ部材
３                          細線
４                          横波発生装置
５                          横波受信装置
６                          警報装置
７                          ケース
８                          弾性体
９                          ビス
１０                        磁石
１１                        コイル
１２                        横波発生器
１３                        電源装置
１４                        コード
１５                        プラグ
１６                        発振器
１７                        ケース
１８                        弾性体
１９                        ビス
２０                        磁石
２１                        コイル
２２                        横波受信器
２３                        増幅器
２４                        検出器
２５                        電源装置
２６                        コード
２７                        プラグ
２８                        弾力性部材
２９                        横波受信器
３０                        ケース
３１                        マイクロホン
３２                        増幅器
３３                        検出器
３４                        プラグ端子
３５、３７                  コード
３６                        電源装置
３８                        プラグ
【図１】
0003565533.tif 000002
【図２】
0003565533.tif 000003
【図３】
0003565533.tif 000004
【図４】
0003565533.tif 000005
【図５】
0003565533.tif 000006